(57)【要約】  【課題】  移動無線局に固有の番号を付与しなくても、複数の移動無線局の送信がほぼ同時に起ったことによる混信を防ぐことのできる無線通信システムを提供する。  【解決手段】  移動無線局２のＣＰＵ２１０は、図示しない送信ボタンが押下されたことを検知すると、ＤＴＭＦ生成回路２０６で送信要求を示すＤＴＭＦ信号を生成して送信回路２０８により送信し、予め設定されたｔ１時間経過からｔ２時間の間に送信禁止を示すＤＴＭＦ信号をＤＴＭＦ変換回路２０５で検知すれば送信を行い、それ以外の時に送信禁止を示すＤＴＭＦ信号を検知したときは送信を行わないようにする。【選択図】  図１
2005102080.tif 000002
【特許請求の範囲】
【請求項１】
基地局装置と複数の移動無線局装置とを備え、
前記基地局装置から前記移動無線局装置への送信周波数と、前記移動無線局装置から前記基地局装置への送信周波数とが異なる周波数により、前記基地局装置と前記移動無線局装置との間で、音声信号およびデータ信号を送受信する無線通信システムであって、
前記基地局装置は、受信した前記データ信号が前記移動無線局装置からのデータ送信要求であり、かつこの基地局装置が前記データ送信要求を受け付け可能である場合に、送信禁止を示すデータ信号の前記移動無線局装置への送信の制御を行う制御手段を有し、
前記移動無線局装置は、前記音声信号を入力する音声信号入力手段と、前記音声信号入力手段からの音声信号と前記データ送信要求を示すデータ信号とを合成して前記基地局装置へ送信し、予め設定された第１の時間経過後から予め定められた第２の時間経過までの間に、前記基地局装置から前記送信禁止を示すデータ信号を受信した場合に、この移動無線局装置から前記基地局装置への送信を可能とする制御手段とを有することを特徴とする無線通信システム。
【請求項２】
基地局装置と複数の移動無線局装置とを備え、
前記基地局装置から前記移動無線局装置への送信周波数と、前記移動無線局装置から前記基地局装置への送信周波数とが異なる周波数により、前記基地局装置と前記移動無線局装置との間で、音声信号およびデータ信号を送受信する無線通信システムであって、
前記基地局装置は、受信した電波を復調して受信信号を出力する受信信号出力手段と、前記受信信号を音声信号とデータ信号に分離する分離手段と、前記データ信号をデータに変換する変換手段と、指示されたデータ信号を生成して前記音声信号と合成する合成手段と、前記合成手段で合成した信号を変調して電波として送信する送信手段と、受信した前記データ信号が前記移動無線局装置からのデータ送信要求であり、かつこの基地局装置が前記データ送信要求を受け付け可能である場合に、送信禁止を示すデータ信号の前記移動無線局装置への送信の制御を行う制御手段とを有し、
前記移動無線局装置は、受信した電波を復調して受信信号を出力する受信信号出力手段と、前記受信信号を音声信号とデータ信号に分離する分離手段と、前記データ信号をデータに変換する変換手段と、前記音声信号を入力する音声信号入力手段と、前記データに基づいて生成されたデータ信号を前記音声入力手段から入力される音声信号と合成する合成手段と、前記合成手段で合成した信号を変調して電波として送信する送信手段と、前記音声信号入力手段からの音声信号と前記データ送信要求を示すデータ信号とを合成して前記基地局装置へ送信し、予め設定された第１の時間経過後から予め定められた第２の時間経過までの間に、前記基地局装置から前記送信禁止を示すデータ信号を受信した場合に、この移動無線局装置から前記基地局装置への送信を可能とする制御手段とを有することを特徴とする無線通信システム。
【請求項３】
基地局装置と複数の移動無線局装置とを備え、
前記基地局装置から前記移動無線局装置への送信周波数と、前記移動無線局装置から前記基地局装置への送信周波数とが異なる周波数により、前記基地局装置と前記移動無線局装置との間で、音声信号およびデータ信号を送受信する無線通信システムであって、
前記基地局装置は、受信した前記データ信号が送信識別番号を設定されたデータ送信要求であり、かつこの基地局装置が前記データ送信要求を受け付け可能である場合に、前記送信識別番号について送信許可を示すデータ信号の前記移動無線局装置への送信の制御を行う制御手段を有し、
前記移動無線局装置は、予め定められた周期でタイマ値をカウントアップするタイマカウンタと、前記データ送信要求を送信するとき前記タイマ値を前記送信識別番号とするデータ信号の前記基地局装置への送信を行い、前記基地局装置からこの送信識別番号が前記送信許可を示すデータ信号を受信した場合に、この移動無線局装置から前記基地局装置への送信を可能とする制御手段とを有することを特徴とする無線通信システム。
【請求項４】
基地局装置と複数の移動無線局装置とを備え、
前記基地局装置から前記移動無線局装置への送信周波数と、前記移動無線局装置から前記基地局装置への送信周波数とが異なる周波数により、前記基地局装置と前記移動無線局装置との間で、音声信号およびデータ信号を送受信する無線通信システムであって、
前記基地局装置は、受信した電波を復調して受信信号を出力する受信信号出力手段と、前記受信信号からデータ信号を検知してデータに変換する変換手段と、入力されたデータをデータ信号に変換するデータ変換手段と、前記データ変換手段で変換したデータ信号を変調して電波として送信する送信手段と、受信した前記データ信号が送信識別番号を設定されたデータ送信要求であり、かつこの基地局装置が前記データ送信要求を受け付け可能である場合に、前記送信識別番号について送信許可を示すデータ信号の前記移動無線局装置への送信の制御を行う制御手段とを有し、
前記移動無線局装置は、受信した電波を復調して受信信号を出力する受信信号出力手段と、前記受信信号からデータ信号を検知してデータに変換する変換手段と、入力されたデータをデータ信号に変換するデータ変換手段と、前記データ変換手段で変換したデータ信号を変調して電波として送信する送信手段と、予め定められた周期でタイマ値をカウントアップするタイマカウンタと、前記データ送信要求を送信するとき前記タイマ値を前記送信識別番号とするデータ信号の前記基地局装置への送信を行い、前記基地局装置からこの送信識別番号が前記送信許可を示すデータ信号を受信した場合に、この移動無線局装置から前記基地局装置への送信を可能とする制御手段とを有することを特徴とする無線通信システム。
【発明の詳細な説明】
【技術分野】
【０００１】
本発明は、無線通信システムに関し、特に、一つの基地局と複数の移動無線局とを備えた無線通信システムに関するものである。
【背景技術】
【０００２】
従来の無線通信システムにおいて、一つの基地局と複数の移動無線局とを備え、基地局から移動無線局への送信に一つの周波数、移動無線局から基地局への送信に別の一つの周波数を使って、基地局と移動無線局との間で通信を行うものがある。
【０００３】
このような無線通信システムでは、複数の移動無線局が同時に送信を行った場合の混信を防ぐため、予め移動無線局に固有の番号を付与し、移動無線局が送信開始要求にこの番号を設定し、基地局側で送信を許可する移動無線局の番号を送信許可に設定して送信することで、送信が許可されなかった移動無線局の信号送信を抑えるようにしている（例えば特許文献１参照）。
【特許文献１】特開２０００−２６９８５２号公報
【発明の開示】
【発明が解決しようとする課題】
【０００４】
しかしながら、このような従来の無線通信システムにおいては、移動無線局に固有の番号を付与しなければならないため、移動無線局を増設する場合などに、既にある移動無線局とは異なる番号を選択して設定した後でなければ複数の移動無線局による混信を防ぐことができないという問題があった。
【０００５】
本発明は、従来の問題を解決するためになされたもので、移動無線局に固有の番号を付与しなくても、複数の移動無線局の送信がほぼ同時に起ったことによる混信を防ぐことのできる無線通信システムを提供することを目的とする。
【課題を解決するための手段】
【０００６】
本発明の無線通信システムは、基地局装置と複数の移動無線局装置とを備え、前記基地局装置から前記移動無線局装置への送信周波数と、前記移動無線局装置から前記基地局装置への送信周波数とが異なる周波数により、前記基地局装置と前記移動無線局装置との間で、音声信号およびデータ信号を送受信する無線通信システムであって、前記基地局装置は、受信した前記データ信号が前記移動無線局装置からのデータ送信要求であり、かつこの基地局装置が前記データ送信要求を受け付け可能である場合に、送信禁止を示すデータ信号の前記移動無線局装置への送信の制御を行う制御手段を有し、前記移動無線局装置は、前記音声信号を入力する音声信号入力手段と、前記音声信号入力手段からの音声信号と前記データ送信要求を示すデータ信号とを合成して前記基地局装置へ送信し、予め設定された第１の時間経過後から予め定められた第２の時間経過までの間に、前記基地局装置から前記送信禁止を示すデータ信号を受信した場合に、この移動無線局装置から前記基地局装置への送信を可能とする制御手段とを有する構成を有している。
【０００７】
この構成により、遅れて送信要求を送信した移動無線局装置は予め設定された経過時間より前に送信禁止を受信してしまって送信できないこととなり、連続した送信要求による混信を防ぐことができる。
【０００８】
本発明の無線通信システムは、基地局装置と複数の移動無線局装置とを備え、前記基地局装置から前記移動無線局装置への送信周波数と、前記移動無線局装置から前記基地局装置への送信周波数とが異なる周波数により、前記基地局装置と前記移動無線局装置との間で、音声信号およびデータ信号を送受信する無線通信システムであって、前記基地局装置は、受信した電波を復調して受信信号を出力する受信信号出力手段と、前記受信信号を音声信号とデータ信号に分離する分離手段と、前記データ信号をデータに変換する変換手段と、指示されたデータ信号を生成して前記音声信号と合成する合成手段と、前記合成手段で合成した信号を変調して電波として送信する送信手段と、受信した前記データ信号が前記移動無線局装置からのデータ送信要求であり、かつこの基地局装置が前記データ送信要求を受け付け可能である場合に、送信禁止を示すデータ信号の前記移動無線局装置への送信の制御を行う制御手段とを有し、前記移動無線局装置は、受信した電波を復調して受信信号を出力する受信信号出力手段と、前記受信信号を音声信号とデータ信号に分離する分離手段と、前記データ信号をデータに変換する変換手段と、前記音声信号を入力する音声信号入力手段と、前記データに基づいて生成されたデータ信号を前記音声入力手段から入力される音声信号と合成する合成手段と、前記合成手段で合成した信号を変調して電波として送信する送信手段と、前記音声信号入力手段からの音声信号と前記データ送信要求を示すデータ信号とを合成して前記基地局装置へ送信し、予め設定された第１の時間経過後から予め定められた第２の時間経過までの間に、前記基地局装置から前記送信禁止を示すデータ信号を受信した場合に、この移動無線局装置から前記基地局装置への送信を可能とする制御手段とを有する構成を有している。
【０００９】
この構成により、遅れて送信要求を送信した移動無線局装置は予め設定された経過時間より前に送信禁止を受信してしまって送信できないこととなり、連続した送信要求による混信を防ぐことができる。
【００１０】
本発明の無線通信システムは、基地局装置と複数の移動無線局装置とを備え、前記基地局装置から前記移動無線局装置への送信周波数と、前記移動無線局装置から前記基地局装置への送信周波数とが異なる周波数により、前記基地局装置と前記移動無線局装置との間で、音声信号およびデータ信号を送受信する無線通信システムであって、前記基地局装置は、受信した前記データ信号が送信識別番号を設定されたデータ送信要求であり、かつこの基地局装置が前記データ送信要求を受け付け可能である場合に、前記送信識別番号について送信許可を示すデータ信号の前記移動無線局装置への送信の制御を行う制御手段を有し、前記移動無線局装置は、予め定められた周期でタイマ値をカウントアップするタイマカウンタと、前記データ送信要求を送信するとき前記タイマ値を前記送信識別番号とするデータ信号の前記基地局装置への送信を行い、前記基地局装置からこの送信識別番号が前記送信許可を示すデータ信号を受信した場合に、この移動無線局装置から前記基地局装置への送信を可能とする制御手段とを有する構成を有している。
【００１１】
この構成により、タイマ値が送信識別番号として送信され、この送信識別番号で送信が許可された移動無線局装置が識別されることとなり、同時に送信要求が送信された場合でも混信を防ぐことができる。
【００１２】
本発明の無線通信システムは、基地局装置と複数の移動無線局装置とを備え、前記基地局装置から前記移動無線局装置への送信周波数と、前記移動無線局装置から前記基地局装置への送信周波数とが異なる周波数により、前記基地局装置と前記移動無線局装置との間で、音声信号およびデータ信号を送受信する無線通信システムであって、前記基地局装置は、受信した電波を復調して受信信号を出力する受信信号出力手段と、前記受信信号からデータ信号を検知してデータに変換する変換手段と、入力されたデータをデータ信号に変換するデータ変換手段と、前記データ変換手段で変換したデータ信号を変調して電波として送信する送信手段と、受信した前記データ信号が送信識別番号を設定されたデータ送信要求であり、かつこの基地局装置が前記データ送信要求を受け付け可能である場合に、前記送信識別番号について送信許可を示すデータ信号の前記移動無線局装置への送信の制御を行う制御手段とを有し、前記移動無線局装置は、受信した電波を復調して受信信号を出力する受信信号出力手段と、前記受信信号からデータ信号を検知してデータに変換する変換手段と、入力されたデータをデータ信号に変換するデータ変換手段と、前記データ変換手段で変換したデータ信号を変調して電波として送信する送信手段と、予め定められた周期でタイマ値をカウントアップするタイマカウンタと、前記データ送信要求を送信するとき前記タイマ値を前記送信識別番号とするデータ信号の前記基地局装置への送信を行い、前記基地局装置からこの送信識別番号が前記送信許可を示すデータ信号を受信した場合に、この移動無線局装置から前記基地局装置への送信を可能とする制御手段とを有する構成を有している。
【００１３】
この構成により、タイマ値が送信識別番号として送信され、この送信識別番号で送信が許可された移動無線局装置が識別されることとなり、同時に送信要求が送信された場合でも混信を防ぐことができる。
【発明の効果】
【００１４】
本発明によれば、移動無線局装置が予め設定された経過時間内に送信禁止を検知したときのみ送信を行うようにすることにより、移動無線局装置に予め固有の番号を設定しなくても、連続した送信要求の送信による混信を防ぐことができる。
【発明を実施するための最良の形態】
【００１５】
以下、本発明の実施の形態の無線通信システムについて、図面を用いて説明する。
【００１６】
図１は本発明の第１の実施の形態の無線通信システムを示す図である。
【００１７】
図１において、本実施の形態の無線通信システムは、一つの基地局１と複数の移動無線局２とを備え、基地局１から移動無線局２への送信に一つの周波数、移動無線局２から基地局１への送信に別の一つの周波数を使い、基地局１において、一つの移動無線局２から受信した音声信号を折り返し送信して、一つの移動無線局２からの音声を全ての移動無線局２で聞くことができるようになっている。
【００１８】
基地局１は、移動無線局２からの電波を受信する受信アンテナ１０１と、受信アンテナ１０１で受信した電波を復調して受信信号を出力する受信回路１０２と、受信回路１０２の出力する受信信号をフィルタリングして音声信号を取り出す音声フィルタ回路１０３と、受信回路１０２の出力する受信信号をフィルタリングしてＤＴＭＦ（Dual Tone Multi-Frequency）信号を取り出すＤＴＭＦフィルタ回路１０４と、ＤＴＭＦフィルタ回路１０４で取り出したＤＴＭＦ信号をデータに変換するＤＴＭＦ変換回路１０５と、入力されたデータからＤＴＭＦ信号を生成するＤＴＭＦ生成回路１０６と、音声フィルタ回路１０３の出力する音声信号とＤＴＭＦ生成回路１０６が生成したＤＴＭＦ信号とを合成する加算器１０７と、加算器１０７で合成した信号を変調して送信電波を出力する送信回路１０８と、送信回路１０８が出力する送信電波を送信する送信アンテナ１０９と、これら各回路を制御して基地局としての動作を行わせるＣＰＵ（Central Processing Unit）１１０とを備えている。
【００１９】
移動無線局２は、基地局１からの電波を受信する受信アンテナ２０１と、受信アンテナ２０１で受信した電波を復調して受信信号を出力する受信回路２０２と、受信回路２０２の出力する受信信号をフィルタリングして音声信号を取り出し図示しないイヤホンなどの音声出力部へ出力する音声フィルタ回路２０３と、受信回路２０２の出力する受信信号をフィルタリングしてＤＴＭＦ信号を取り出すＤＴＭＦフィルタ回路２０４と、ＤＴＭＦフィルタ回路２０４で取り出したＤＴＭＦ信号をデータに変換するＤＴＭＦ変換回路２０５と、入力されたデータからＤＴＭＦ信号を生成するＤＴＭＦ生成回路２０６と、マイクなどの音声入力部２１１と、音声入力部２１１が出力する音声信号とＤＴＭＦ生成回路２０６が生成したＤＴＭＦ信号とを合成する加算器２０７と、加算器２０７で合成した信号を変調して送信電波を出力する送信回路２０８と、送信回路２０８が出力する送信電波を送信する送信アンテナ２０９と、これら各回路を制御して移動無線局としての動作を行わせるＣＰＵ２１０とを備えている。
【００２０】
本実施の形態の無線通信システムでは、移動無線局２から基地局１へ送信する電波の周波数が一つしかないので、複数の移動無線局２が同時に送信を行うと混信してしまうため、基地局１が移動無線局２の送信要求を受け付けると、送信禁止を示すＤＴＭＦ信号を音声信号とともに移動無線局２に送信し、送信要求を送信してきた移動無線局２には送信を許可することを示し、その他の移動無線局２には送信要求できない状態であることを示すようになっている。
【００２１】
さらに、移動無線局２が送信要求してから送信禁止を示すＤＴＭＦ信号を受信するまでの間に他の移動無線局２が送信要求を送信すると、最初に送信要求を送信した移動無線局２の送信許可を示すための送信禁止のＤＴＭＦ信号を、後から送信要求を送信した移動無線局２が受信して自分の送信許可を示す送信禁止のＤＴＭＦ信号であると判断して送信を開始すると混信が発生してしまうので、これを防ぐため、図２に示すように、移動無線局２は、送信要求を送信してから時間ｔ１が経過した時点から時間ｔ２の間に検知した送信禁止のＤＴＭＦ信号のみを自分の送信要求に対する応答と判断するようになっている。
【００２２】
具体的には、移動無線局２のＣＰＵ２１０は、図示しない送信ボタンが押下されたことを検知すると、ＤＴＭＦ生成回路２０６に「移動無線局送信」を示すＤＴＭＦ信号を生成させ、加算器２０７で音声入力部が出力する音声信号と合成し、送信回路２０８により移動無線局２から基地局１への送信用の周波数ｆ１で合成した信号を送信させる（Ｓ１１）とともに、内蔵のタイマカウンタにより信号送信からの経過時間の計時を開始する。
【００２３】
基地局１では、受信回路１０２が移動無線局２からの電波を受信したことを検知し、受信した電波を復調した受信信号を音声フィルタ回路１０３及びＤＴＭＦフィルタ回路１０４に出力する。
【００２４】
音声フィルタ回路１０３は、入力された信号から音声信号を取り出して加算器１０７に出力する。ＤＴＭＦフィルタ回路１０４は、入力された信号からＤＴＭＦ信号を取り出してＤＴＭＦ変換回路１０５に出力する。
【００２５】
ＤＴＭＦ変換回路１０５は、入力された信号からＤＴＭＦ信号を検知し、検知したＤＴＭＦ信号をデータに変換してＣＰＵ１１０に通知する。
【００２６】
ＣＰＵ１１０は、ＤＴＭＦ変換回路１０５から通知されたデータを判定し、通知されたデータが「移動無線局送信」を示すものであると、ＤＴＭＦ生成回路１０６に「送信禁止」を示すＤＴＭＦ信号を生成させ、加算器１０７で音声フィルタ回路１０３が出力する音声信号と合成し、送信回路１０８により基地局１から移動無線局２への送信用の周波数ｆ２で合成した信号を送信させる（Ｓ１２）。
【００２７】
移動無線局２の受信回路２０２は、基地局１からの電波を受信したことを検知し、受信した電波を復調した受信信号を音声フィルタ回路２０３及びＤＴＭＦフィルタ回路２０４に出力する。
【００２８】
音声フィルタ回路２０３は、入力された信号から音声信号を取り出して音声出力部に出力する。ＤＴＭＦフィルタ回路２０４は、入力された信号からＤＴＭＦ信号を取り出してＤＴＭＦ変換回路２０５に出力する。
【００２９】
ＤＴＭＦ変換回路２０５は、入力された信号からＤＴＭＦ信号を検知し、検知したＤＴＭＦ信号をデータに変換してＣＰＵ２１０に通知する。
【００３０】
ＣＰＵ２１０は、ＤＴＭＦ変換回路２０５から通知されたデータを判定し、通知されたデータが「送信禁止」を示すものであると、タイマカウンタで計時していた「移動無線局送信」を送信してからの経過時間を判定し、経過時間がｔ１以上かつｔ１＋ｔ２以下であれば、受信した「送信禁止」が自分の送信した「移動無線局送信」の応答であると判断し、送信を続ける。
【００３１】
経過時間がｔ１より短いまたはｔ１＋ｔ２より長ければ、受信した「送信禁止」が自分の送信した「移動無線局送信」の応答ではないと判断し、送信をやめる。
【００３２】
このように本実施の形態においては、移動無線局２が「移動無線局送信」による送信要求の送信からの経過時間がｔ１以上かつｔ１＋ｔ２以下の間に検知した「送信禁止」のみを自分の送信した「移動無線局送信」の応答であると判断して送信を行うので、移動無線局２に固有の番号を予め設定しなくても、最初の移動無線局の「移動無線局送信」からｔ２時間経過以降に他の移動無線局の「移動無線局送信」が送信されたときの混信を防ぐことができる。
【００３３】
図３は、本実施の形態において複数の移動無線局の同時送信が起った場合を示す図である。
【００３４】
図３に示すように、移動無線局２ａが送信ボタンを押下されたとほぼ同時に移動無線局２ｂでも送信ボタンを押下されると、移動無線局２ａにおいては、上述のように、「移動無線局送信」の送信からｔ１以上かつｔ１＋ｔ２以下の時間が経過した間に「送信禁止」を検知して送信状態となる。
【００３５】
移動無線局２ａよりも少し遅れて送信ボタンが押下された移動無線局２ｂにおいては、上述のように、基地局１に「移動無線局送信」を送信し「送信禁止」の受信を待つが、移動無線局２ａの「移動無線局送信」に対する「送信禁止」が基地局１から送信され、移動無線局２ｂでは、「移動無線局送信」の送信からの経過時間がｔ１になる前に「送信禁止」を検知してしまうので、受信した「送信禁止」は自分の送信した「移動無線局送信」の応答ではないと判断して送信をやめる。
【００３６】
このように、最初の移動無線局２ａで送信ボタンが押下され「移動無線局送信」が送信されてからｔ２時間経過以降に「移動無線局送信」を送信した移動無線局２ｂは、最初の移動無線局２ａの送信した「移動無線局送信」に対する「送信禁止」を「移動無線局送信」を送信してからｔ１時間が経過する前に検知してしまって送信をやめることになり、混信を防ぐことができる。
【００３７】
なお、ｔ１は、平均的な場合の「移動無線局送信」から「送信禁止」を検知するまでの時間を設定することが好ましく、ｔ２は、色々な条件下での「移動無線局送信」から「送信禁止」を検知するまでの時間のｔ１からの誤差の範囲や、混信をどの程度起り難くさせるかなどにより設定することが好ましい。
【００３８】
なお、本実施の形態においては、基地局１は、移動無線局２からの「移動無線局送信」を受信してから「送信禁止」を送信し、その前には何も送信していないが、図４に示すように、移動無線局２からの送信がないときは「送信許可」を送信し、「移動無線局送信」を受信したときに「送信許可」から「送信禁止」に替えるようにしてもよい。
【００３９】
次に、図５は本発明の第２の実施の形態の無線通信システムを示す図である。なお、本実施の形態は、上述の第１の実施の形態と略同様に構成されているので、同様な構成には同一の符号を付して特徴部分のみ説明する。
【００４０】
図５に示すように、本実施の形態においては、基地局３は、受信回路１０２の出力する受信信号をミュートするミュート回路３０１と、受信回路１０２の出力する受信信号から予め設定された周波数帯の信号をフィルタリングして取り出すフィルタ回路３０２と、フィルタ回路３０２で取り出した信号をデータに変換する信号変換回路３０３と、入力されたデータをデジタル信号に変換するデータ変換回路３０４とを備えている。
【００４１】
また、移動無線局４は、受信回路２０２の出力する受信信号をミュートするミュート回路４０１と、受信回路２０２の出力する受信信号から予め設定された周波数帯の信号をフィルタリングして取り出すフィルタ回路４０２と、フィルタ回路４０２で取り出した信号をデータに変換する信号変換回路４０３と、入力されたデータをデジタル信号に変換するデータ変換回路４０４とを備えている。
【００４２】
このような構成の無線通信システムにおいて、移動無線局４は送信開始時にＣＰＵ４０５内のタイマカウンタの値を送信ＩＤ（IDentification）として送信要求に設定して基地局３に通知し、基地局３からの送信許可に設定されている送信ＩＤが送信要求に設定した送信ＩＤと一致するものを自分の送信要求に対する送信許可と判断して送信を行うようになっている。
【００４３】
具体的には、移動無線局４のＣＰＵ４０５は、図示しない送信ボタンが押下されたことを検知すると、図６に示すように、内蔵のＣＰＵ４０５のクロック周期毎にカウントアップされているタイマカウンタの値を読み出して、記憶するとともにデータ変換回路４０４にこのタイマカウンタの値を送信ＩＤとして設定した送信要求を生成させ、加算器２０７で音声入力部が出力する音声信号と合成し、送信回路２０８により移動無線局４から基地局３への送信用の周波数ｆ１で合成した信号を送信させる（Ｓ２１）。
【００４４】
ここで、タイマカウンタの値は、同じ種類、同じ機能の移動無線局４であっても異なっており、２つの移動無線局４でタイマカウンタの値が一致する確立は非常に低く、ほとんどないと考えてよい。
【００４５】
基地局３では、受信回路１０２が移動無線局４からの電波を受信したことを検知し、受信した電波を復調した受信信号をミュート回路３０１及びフィルタ回路３０２に出力する。
【００４６】
ミュート回路３０１は、無音信号を加算器１０７に出力する。フィルタ回路３０２は、入力された信号から予め設定されたデジタル信号の周波数帯の信号を取り出して信号変換回路３０３に出力する。
【００４７】
信号変換回路３０３は、入力されたデジタル信号をデータに変換してＣＰＵ３０５に通知する。
【００４８】
ＣＰＵ３０５は、信号変換回路３０３から通知されたデータを判定し、通知されたデータが送信要求であると、この送信要求に設定されている送信ＩＤを取り出し、データ変換回路３０４にこの送信ＩＤを設定した送信許可を生成させ、加算器１０７でミュート回路３０１が出力する信号と合成し、送信回路１０８により基地局３から移動無線局４への送信用の周波数ｆ２で合成した信号を送信させ（Ｓ２２）、ミュート回路３０１に入力された信号をそのまま出力させて受信した音声信号を加算器１０７に出力するようにする。
【００４９】
移動無線局４の受信回路２０２は、基地局３からの電波を受信したことを検知し、受信した電波を復調した受信信号をミュート回路４０１及びフィルタ回路４０２に出力する。
【００５０】
ミュート回路４０１は、無音信号を音声出力部に出力する。フィルタ回路４０２は、入力された信号から予め設定されたデジタル信号の周波数帯の信号を取り出して信号変換回路４０３に出力する。
【００５１】
信号変換回路４０３は、入力されたデジタル信号をデータに変換してＣＰＵ４０５に通知する。
【００５２】
ＣＰＵ４０５は、信号変換回路４０３から通知されたデータを判定し、通知されたデータが送信許可を示すものであると、この送信許可に設定されている送信ＩＤが記憶している送信ＩＤと一致しているか判定し、一致していれば、受信した送信許可が自分の送信した送信要求の応答であると判断し、ミュート回路４０１に入力された信号をそのまま出力させて受信した音声信号を音声出力部に出力するようにするとともに、送信を続ける。
【００５３】
送信許可に設定されている送信ＩＤが記憶している送信ＩＤと一致しない場合は、受信した送信許可が自分の送信した送信要求の応答ではないと判断し、送信をやめる。
【００５４】
このように本実施の形態においては、移動無線局４が送信要求にタイマカウンタの値を送信ＩＤとして設定して送信し、この送信ＩＤが設定されている送信許可を自分の送信許可と判断しているので、移動無線局４に固有の番号を予め設定しなくても、複数の移動無線局４の同時送信による混信を防ぐことができる。
【産業上の利用可能性】
【００５５】
以上のように、本発明にかかる無線通信システムは、移動無線局装置に予め固有の番号を設定しなくても、連続した送信要求の送信による混信を防ぐことができるという効果を有し、一つの基地局と複数の移動無線局とを備えた無線通信システム等として有用である。
【図面の簡単な説明】
【００５６】
【図１】本発明の第１の実施の形態の無線通信システムのブロック図
【図２】本発明の第１の実施の形態の無線通信システムの動作説明のための図
【図３】本発明の第１の実施の形態の無線通信システムの混信が起らないことを説明するための図
【図４】本発明の第１の実施の形態の無線通信システムの他の例の動作説明のための図
【図５】本発明の第２の実施の形態の無線通信システムのブロック図
【図６】本発明の第２の実施の形態の無線通信システムの動作説明のための図
【符号の説明】
【００５７】
１  基地局
１０１  受信アンテナ
１０２  受信回路
１０３  音声フィルタ回路
１０４  ＤＴＭＦフィルタ回路
１０５  ＤＴＭＦ変換回路
１０６  ＤＴＭＦ生成回路
１０７  加算器
１０８  送信回路
１０９  送信アンテナ
１１０  ＣＰＵ
２、２ａ、２ｂ  移動無線局
２０１  受信アンテナ
２０２  受信回路
２０３  音声フィルタ回路
２０４  ＤＴＭＦフィルタ回路
２０５  ＤＴＭＦ変換回路
２０６  ＤＴＭＦ生成回路
２０７  加算器
２０８  送信回路
２０９  送信アンテナ
２１０  ＣＰＵ
２１１  音声入力部
３  基地局
３０１  ミュート回路
３０２  フィルタ回路
３０３  信号変換回路
３０４  データ変換回路
３０５  ＣＰＵ
４  移動無線局
４０１  ミュート回路
４０２  フィルタ回路
４０３  信号変換回路
４０４  データ変換回路
４０５  ＣＰＵ
【図１】
2005102080.tif 000003
【図２】
2005102080.tif 000004
【図３】
2005102080.tif 000005
【図４】
2005102080.tif 000006
【図５】
2005102080.tif 000007
【図６】
2005102080.tif 000008